(57)【要約】【課題】光センサーによるブロック毎の測定結果に基づいて発光量のフィードバックを行う照明装置において、各ブロックの輝度をより精度良く目標輝度に制御する。【解決手段】発光量を制御可能な発光手段と、前記発光手段の輝度を検出する輝度検出手段と、前記発光手段の温度を検出する温度検出手段と、前記発光手段の輝度が目標値となるように前記輝度検出手段により検出される輝度に基づき発光量を制御する制御手段と、を備え、前記制御手段は、第１のタイミングで前記輝度検出手段により検出された第１の輝度を、第１のタイミングで前記温度検出手段により検出された第１の温度と、第１のタイミングより後の第２のタイミングで前記温度検出手段により検出された第２の温度と、に基づいて補正して得られる輝度に基づいて発光量を制御することを特徴とする発光装置。【選択図】図２
2014182349.tif 000002
【特許請求の範囲】
【請求項１】
発光量を制御可能な発光手段と、
前記発光手段の輝度を検出する輝度検出手段と、
前記発光手段の温度を検出する温度検出手段と、
前記発光手段の輝度が目標値となるように前記輝度検出手段により検出される輝度に基づき発光量を制御する制御手段と、
を備え、
前記制御手段は、第１のタイミングで前記輝度検出手段により検出された第１の輝度を、第１のタイミングで前記温度検出手段により検出された第１の温度と、第１のタイミングより後の第２のタイミングで前記温度検出手段により検出された第２の温度と、に基づいて補正して得られる輝度に基づいて発光量を制御することを特徴とする発光装置。
【請求項２】
前記制御手段は、前記発光手段の輝度の温度特性の情報と、前記第１の温度と前記第２の温度との差分と、に基づいて前記第１の輝度を補正する請求項１に記載の発光装置。
【請求項３】
前記制御手段は、前記発光手段の輝度の温度特性の情報と、前記第１の温度と、前記第１の温度と前記第２の温度との差分と、に基づいて前記第１の輝度を補正する請求項１に記載の発光装置。
【請求項４】
前記温度特性の情報は、前記第１のタイミングと前記第２のタイミングとの時間差で生じ得る前記発光手段の温度の変化量と、その温度の変化量に対応する前記発光手段の輝度の変化率と、の予め求められた対応関係の情報を含み、
前記制御手段は、前記第１の温度と前記第２の温度との差分に応じて前記対応関係に基づき求められる輝度の変化率を用いて、前記第１の輝度を補正する請求項２又は３に記載の発光装置。
【請求項５】
前記発光手段は、独立に発光を制御可能な複数の発光ブロックからなり、
前記輝度検出手段は前記各発光ブロックの輝度を検出し、
前記温度検出手段は前記各発光ブロックの温度を検出し、
前記制御手段は、前記各発光ブロックの輝度が目標値となるように前記輝度検出手段により検出される前記各発光ブロックの輝度に基づき前記各発光ブロックの発光量を制御する請求項１〜４のいずれか１項に記載の発光装置。
【請求項６】
前記制御手段は、前記複数の発光ブロックについて順次、前記輝度検出手段による輝度の検出及び前記温度検出手段による温度の検出を行い、検出した輝度及び温度を各発光ブロックについての第１の輝度及び第１の温度とし、全ての発光ブロックについて前記第１の輝度及び前記第１の温度を取得した後に、全ての発光ブロックについて前記温度検出手段により温度の検出を行い、検出した温度を各発光ブロックの第２の温度とし、各発光ブロックの第１の輝度を各発光ブロックの第１の温度及び第２の温度に基づいて補正して得られる輝度に基づいて各発光ブロックの発光量を制御する請求項５に記載の発光装置。
【請求項７】
前記発光手段は、光源として白色光を発する発光素子を有する請求項１〜４のいずれか１項に記載の発光装置。
【請求項８】
前記各発光ブロックは、光源として白色光を発光する発光素子を有する請求項５又は６に記載の発光装置。
【請求項９】
前記発光手段は、光源として赤色、緑色、青色の光を発する発光素子を有する請求項１〜４のいずれか１項に記載の発光装置。
【請求項１０】
前記各発光ブロックは、光源として赤色、緑色、青色の光を発する発光素子を有する請求項５又は６に記載の発光装置。
【請求項１１】
前記制御手段は、発光素子の発光色毎に発光量の制御を行う請求項９又は１０に記載の発光装置。
【請求項１２】
前記温度特性の情報は、発光素子の発光色毎の温度特性の情報を含み、
前記制御手段は、発光素子の発光色毎の温度特性の情報に基づき、発光素子の発光色毎に発光量の制御を行う請求項９又は１０に記載の発光装置。
【請求項１３】
発光量を制御可能な発光手段を備えた発光装置の制御方法であって、
前記発光手段の輝度を検出する輝度検出工程と、
前記発光手段の温度を検出する温度検出工程と、
前記発光手段の輝度が目標値となるように前記輝度検出手段により検出される輝度に基づき発光量を制御する制御工程と、
を有し、
前記制御工程では、第１のタイミングで前記輝度検出工程により検出された第１の輝度を、第１のタイミングで前記温度検出工程により検出された第１の温度と、第１のタイミングより後の第２のタイミングで前記温度検出工程により検出された第２の温度と、に基づいて補正して得られる輝度に基づいて発光量を制御することを特徴とする発光装置の制御方法。
【請求項１４】
前記制御工程では、前記発光手段の輝度の温度特性の情報と、前記第１の温度と前記第２の温度との差分と、に基づいて前記第１の輝度を補正する請求項１３に記載の発光装置の制御方法。
【請求項１５】
前記制御工程では、前記発光手段の輝度の温度特性の情報と、前記第１の温度と、前記第１の温度と前記第２の温度との差分と、に基づいて前記第１の輝度を補正する請求項１３に記載の発光装置の制御方法。
【請求項１６】
前記温度特性の情報は、前記第１のタイミングと前記第２のタイミングとの時間差で生じ得る前記発光手段の温度の変化量と、その温度の変化量に対応する前記発光手段の輝度の変化率と、の予め求められた対応関係の情報を含み、
前記制御工程では、前記第１の温度と前記第２の温度との差分に応じて前記対応関係に基づき求められる輝度の変化率を用いて、前記第１の輝度を補正する請求項１４又は１５に記載の発光装置の制御方法。
【請求項１７】
前記発光手段は、独立に発光を制御可能な複数の発光ブロックからなり、
前記輝度検出工程では前記各発光ブロックの輝度を検出し、
前記温度検出工程では前記各発光ブロックの温度を検出し、
前記制御工程では、前記各発光ブロックの輝度が目標値となるように前記輝度検出工程により検出される前記各発光ブロックの輝度に基づき前記各発光ブロックの発光量を制御する請求項１３〜１６のいずれか１項に記載の発光装置の制御方法。
【請求項１８】
前記制御工程では、前記複数の発光ブロックについて順次、前記輝度検出工程による輝度の検出及び前記温度検出工程による温度の検出を行い、検出した輝度及び温度を各発光ブロックについての第１の輝度及び第１の温度とし、全ての発光ブロックについて前記第１の輝度及び前記第１の温度を取得した後に、全ての発光ブロックについて前記温度検出工程により温度の検出を行い、検出した温度を各発光ブロックの第２の温度とし、各発光
ブロックの第１の輝度を各発光ブロックの第１の温度及び第２の温度に基づいて補正して得られる輝度に基づいて各発光ブロックの発光量を制御する請求項１７に記載の発光装置の制御方法。
【請求項１９】
前記発光手段は、光源として白色光を発する発光素子を有する請求項１３〜１６のいずれか１項に記載の発光装置の制御方法。
【請求項２０】
前記各発光ブロックは、光源として白色光を発光する発光素子を有する請求項１７又は１８に記載の発光装置の制御方法。
【請求項２１】
前記発光手段は、光源として赤色、緑色、青色の光を発する発光素子を有する請求項１３〜１６のいずれか１項に記載の発光装置の制御方法。
【請求項２２】
前記各発光ブロックは、光源として赤色、緑色、青色の光を発する発光素子を有する請求項１７又は１８に記載の発光装置の制御方法。
【請求項２３】
前記制御工程では、発光素子の発光色毎に発光量の制御を行う請求項２１又は２２に記載の発光装置の制御方法。
【請求項２４】
前記温度特性の情報は、発光素子の発光色毎の温度特性の情報を含み、
前記制御工程では、発光素子の発光色毎の温度特性の情報に基づき、発光素子の発光色毎に発光量の制御を行う請求項２１又は２２に記載の発光装置の制御方法。
【請求項２５】
請求項１〜１２のいずれか１項に記載の発光装置をバックライトとして備える画像表示装置。
【発明の詳細な説明】
【技術分野】
【０００１】
本発明は、発光装置及びその制御方法に関するものである。
【背景技術】
【０００２】
液晶表示制御装置は液晶パネルの光透過性を利用した表示制御装置であり、液晶パネル背面に設置されたバックライト光源から出射された光を、液晶パネルで透過・遮断することで表示制御する。
バックライト光源には、複数のＬＥＤ（Ｌｉｇｈｔ  Ｅｍｉｔｔｉｎｇ  Ｄｉｏｄｅ）が使用されている。光源に使用するＬＥＤとしては、例えば、Ｗ（白色）、もしくは、Ｒ（赤色）、Ｇ（緑色）、Ｂ（青色）のカラーＬＥＤがある。
【０００３】
ＬＥＤの輝度・色調整方法には、電流値制御や、ＰＷＭ制御がある。ＰＷＭ制御では、ＬＥＤそれぞれの発光期間を調整することで、所望の輝度とホワイトバランスを得ることができる。
ＬＥＤは、デバイスの温度特性や長期使用による経年劣化、そして個体差によって輝度が変化する。そこで、表示輝度を一定に維持する為、バックライト筐体内に設置した輝度センサー、もしくは色度センサーを使ってフィードバック制御する技術がある。
【０００４】
また、特許文献１では、フィードバック制御において、任意の位置の輝度を測定する際には、周囲光の影響を除くために、測定対象ブロック以外のＬＥＤを、例えば数百マイクロ秒の期間だけオフ状態にして、この間に測定対象ブロックの輝度を測定する。
【０００５】
該処理について、図７と図８を使用して説明する。
図７は、従来例に係る、バックライト部の構成、および、センサー測定時の順序例を説明する図である。不図示のセンサー値取得部は、バックライト部の左上端から右下端に向かってセンサー値を取得する。
【０００６】
また、図８は、バックライト部に対するＰＷＭ制御のタイミングチャートである。不図示のバックライト制御部は、１列目から１０列目に向かって、順次点灯箇所が移動するような制御を行っている。さらに、センサー値取得期間では、測定対象ＬＥＤ以外の点灯ＬＥＤを消灯している様子を示している。また、１列、１６行目のブロックの測定から、２列、１行目のブロックの測定へ移行する際の制御を示している。
【０００７】
以上述べたセンサー取値方法によれば、センサー値取得開始ブロックからセンサー値取得終了ブロックまで、全センサー値を取得完了するまでに非常に時間がかかる。例えば、測定対象ブロックが６４０個ある場合、全センサー値を取得するのに約１０秒かかることがわかっている。
今後、画面の大型化や薄型化によって、バックライトＬＥＤ数が増加し、それに伴って、ブロック数も増加することが予測される。
【先行技術文献】
【特許文献】
【０００８】
【特許文献１】特許第４２５３２９２号公報
【発明の概要】
【発明が解決しようとする課題】
【０００９】
しかし、特許文献１に記載の技術では、上記のようにセンサー数が増加するような、測
定完了までに時間がかかることが考慮されていない。そのため、輝度測定し終わる頃には時間経過し、測定時とフィードバック適用時のＬＥＤ温度が変わってしまう。その結果、例えば、輝度測定時に比べ温度が上昇すると、ＬＥＤの輝度が低下し、フィードバック制御しても目標輝度とならない場合がある。
【００１０】
本発明は、光センサーによるブロック毎の測定結果に基づいて発光量のフィードバックを行う発光装置において、各ブロックの輝度をより精度良く目標輝度に制御することを目的とする。
【課題を解決するための手段】
【００１１】
本発明は、発光量を制御可能な発光手段と、
前記発光手段の輝度を検出する輝度検出手段と、
前記発光手段の温度を検出する温度検出手段と、
前記発光手段の輝度が目標値となるように前記輝度検出手段により検出される輝度に基づき発光量を制御する制御手段と、
を備え、
前記制御手段は、第１のタイミングで前記輝度検出手段により検出された第１の輝度を、第１のタイミングで前記温度検出手段により検出された第１の温度と、第１のタイミングより後の第２のタイミングで前記温度検出手段により検出された第２の温度と、に基づいて補正して得られる輝度に基づいて発光量を制御することを特徴とする発光装置である。
【００１２】
本発明は、発光量を制御可能な発光手段を備えた発光装置の制御方法であって、
前記発光手段の輝度を検出する輝度検出工程と、
前記発光手段の温度を検出する温度検出工程と、
前記発光手段の輝度が目標値となるように前記輝度検出手段により検出される輝度に基づき発光量を制御する制御工程と、
を有し、
前記制御工程では、第１のタイミングで前記輝度検出工程により検出された第１の輝度を、第１のタイミングで前記温度検出工程により検出された第１の温度と、第１のタイミングより後の第２のタイミングで前記温度検出工程により検出された第２の温度と、に基づいて補正して得られる輝度に基づいて発光量を制御することを特徴とする発光装置の制御方法である。
【発明の効果】
【００１３】
本発明によれば、光センサーによるブロック毎の測定結果に基づいて発光量のフィードバックを行う発光装置において、各ブロックの輝度をより精度良く目標輝度に制御することができる。
【図面の簡単な説明】
【００１４】
【図１】実施例１のシステム構成の概略図
【図２】実施例１の表示制御装置の構成を示すブロック図
【図３】実施例１のバックライト部の構成例を示す図
【図４】実施例１の表示制御装置の補正制御を説明するためのフローチャート
【図５】実施例１の温度センサー値と輝度センサー値補正係数のテーブル
【図６】実施例１の輝度センサー値とバックライト制御値のテーブル
【図７】従来例のバックライト部の構成及びセンサー測定時の順序例を示す図
【図８】従来例のバックライト部に対するＰＷＭ制御のタイミングチャート
【発明を実施するための形態】
【００１５】
（実施例１）
本発明の実施例１について、説明する。図１は、本発明を適用した表示制御装置のシステム構成の概略図である。
表示制御装置１０１は、入力信号源１００から出力された画像信号に基づいて、液晶パネル１０２を制御し、および、バックライト部１０３を制御し、画像表示を行う。
【００１６】
図２は、表示制御装置１０１の構成例を示すブロック図である。
表示制御装置１０１は、ＣＰＵ２００、画像入力部２０１、表示制御部２０２、画像出力部２０３、補正部２０４、センサー制御部２０５、および、バックライト制御部２１０を備える。
【００１７】
ＣＰＵ２００には、不図示のＲＯＭ、ＲＡＭが接続され、ＲＯＭに格納されたプログラムに従い、ＲＡＭをワークメモリとし、表示制御装置１０１全体の動作を制御する。
画像入力部２０１は、入力信号源１００から入力した画像信号を、デコードし、表示制御部２０２へ画像データを出力する。
表示制御部２０２は、高画質化処理等の画像信号処理を適用した後、画像出力部２０３へ画像データを出力する。
【００１８】
画像出力部２０３は、入力された画像データを液晶パネル１０２へ出力し、垂直同期信号をバックライト制御部２１０へ出力する。
補正部２０４は、輝度センサー値補正部２０８とバックライト制御値算出部２０９を備える。
【００１９】
また、補正部２０４は、センサー制御部２０５に対して、輝度センサー値と第１の温度センサー値、第２の温度センサー値からなるセンサー情報を要求する。ここで、輝度センサー値とは、全バックライト制御ブロックの輝度センサー値の集合である。また、第１の温度センサー値は、輝度センサー値を取得したタイミングでの温度センサー値の集合であり、第２の温度センサー値は、全バックライト制御ブロックの輝度センサー値取得後に再度取得した温度センサー値の集合である。
【００２０】
そして、補正部２０４は、センサー制御部２０５からセンサー情報を受信すると、輝度センサー値補正部２０８により、輝度センサー値を補正する。そして、補正部２０４は、バックライト制御値算出部２０９により、バックライト制御値を算出し、バックライト制御値をバックライト制御部２１０へ出力する。
【００２１】
センサー制御部２０５は、輝度センサー値取得部２０６と温度センサー値取得部２０７を備える。
また、センサー制御部２０５は、補正部２０４からセンサー情報の取得を要求されると、輝度センサー値取得部２０６と温度センサー値取得部２０７により、全バックライト制御ブロックの、輝度センサー値と温度センサー値を順次取得する。ここで、センサー値を取得するバックライト制御ブロックの順序は、図７のように、左上端から右下端に向かう順序とする。
そして、センサー制御部２０５は、全バックライト制御ブロックについて輝度センサー値の取得を完了すると、再度、全部の温度センサー値のみを取得し、補正部２０４へセンサー情報を送信する。
なお、センサー制御部２０５は、測定（センサー値取得）するセンサー位置と測定対象ブロック（センサー値取得対象ブロック）を決定し、測定対象ブロックをバックライト制御部２１０へ通知する。
【００２２】
輝度センサー値取得部２０６は、後述するバックライト制御部２１０からの輝度値取得
可能信号をトリガーとし、センサー制御部２０５で決定したセンサー位置の輝度センサー値を取得することで輝度検出を行う。
温度センサー値取得部２０７は、センサー制御部２０５で決定したセンサー位置の温度センサー値を取得することで温度検出を行う。
なお、輝度センサー値の取得総時間に比べ、温度センサー値の取得総時間は、バックライトの点灯に同期する必要性がないため、格段に短い。
【００２３】
輝度センサー値補正部２０８は、輝度センサー値補正係数テーブルを保持する。そして、輝度センサー値補正部２０８は、第１の温度センサー値、第２の温度センサー値と、輝度センサー値補正係数テーブルに基づき、輝度センサー値を補正する。輝度センサー値補正係数テーブルについては、後述する。
【００２４】
バックライト制御値算出部２０９は、目標輝度センサー値テーブルを保持する。そして、バックライト制御値算出部２０９は、補正された輝度センサー値と目標輝度センサー値テーブルに基づき、バックライト制御値を算出する。目標輝度センサー値テーブルについては、後述する。
【００２５】
バックライト制御部２１０は、補正部２０４から入力したバックライト制御値に基づき、バックライト部１０３の発光量制御を行う。また、バックライト制御部２１０は、垂直同期信号をトリガーとし、バックライト部１０３を点灯制御する。そして、バックライト制御部２１０は、センサー制御部２０５から測定対象ブロックを通知された場合、測定対象ブロック以外のＬＥＤを一定期間オフ状態とし、輝度値取得可能信号を輝度センサー値取得部２０６へ通知する。ここで、ＬＥＤをオフ状態にする一定期間とは、例えば１００マイクロ秒とする。なお、発光量制御の方法として、バックライトの点灯期間を制御する方法でも、点灯時にバックライトへ供給する電流量を制御する方法でも良い。
【００２６】
図３はバックライト部１０３の構成例を示す図である。
本実施例では、バックライト光源として白色光を発する発光素子（ＬＥＤ）であるＷＬＥＤ３０１を備え、ＷＬＥＤ４個を１単位としてバックライト制御ブロック３０２を構成する。また、バックライト制御部２１０は、３２行、２０列の合計６４０個のブロックを制御する。これらのバックライト制御ブロックは独立に発光量を制御可能な複数の発光ブロックである。
【００２７】
さらに、バックライト部１０３には、４つのバックライト制御ブロックに対して、輝度センサー、および、温度センサーを１組としたセンサー３０３が設置されており、それぞれ１６０個ずつある。センサー３０３は、センサー３０３に隣接する４つのバックライト制御ブロック群３０４の輝度を検出可能である。
【００２８】
次に表示制御装置１０１の動作について、図４に示すフローチャートを用いて説明する。
ユーザが電源オン操作を行うと、ＣＰＵ２００は補正部２０４の処理を開始し、本フローチャートの処理が開始される。また、表示制御装置１０１が電源オン中、このフローチャートの処理は繰り返し行われる。
【００２９】
補正部２０４は、センサー制御部２０５へセンサー情報を取得要求する。
センサー制御部２０５は、センサー値を取得する測定対象ブロックSb[m][n]のブロック行(m)と、ブロック列(n)を決定する。ここでは、測定対象ブロックSb[１][１]を初期値とし、測定対象ブロックSb[１][１]〜測定対象ブロックSb[m_max][n_max]の範囲で測定対象ブロックを指定できる。本実施例では、図３に示す通り、最大ブロック行数m_maxを３２
、最大ブロック列数n_maxを２０とする。
【００３０】
また、センサー制御部２０５は、測定対象ブロックSb[a][b]に対応する測定完了フラグF[a][b]が１である場合、ブロック行(a)を＋１インクリメントする。
ただし、ブロック行(a)がm_maxを超える場合、ブロック行(a)を１に設定し、ブロック
列(b)を＋１インクリメントする。ここで、測定完了フラグFの初期設定は全て０とする。
そして、センサー制御部２０５は、測定対象ブロックSb[a][b]をバックライト制御部２１０へ通知する（Ｓ４００）。
【００３１】
バックライト制御部２１０は、測定対象ブロック通知を受け、測定対象ブロック以外のＬＥＤを一定期間オフ状態とし、輝度値取得可能信号を輝度センサー値取得部２０６へ通知する。
輝度センサー値取得部２０６は、輝度値取得可能信号を受け、測定対象ブロックSb[a][b]に隣接する輝度センサー値を取得し、測定対象ブロックSb[a][b]に対応する輝度センサー値テーブルL[a][b]に輝度センサー値を設定する。（Ｓ４０１）。
【００３２】
温度センサー値取得部２０７は、輝度センサー値取得直後、温度センサー値を取得し、測定対象ブロックSb[a][b]に対応する第１の温度センサー値テーブルT1[a][b]に温度センサー値を設定する（Ｓ４０２）。また、温度センサー値取得部２０７は、測定完了フラグF[a][b]に１を立てる。
【００３３】
センサー制御部２０５は、測定完了フラグF[a][b]が全て1になっているか判定し（Ｓ４０３）、それ以外の場合は、ステップＳ４００へ戻る。
測定完了フラグF[a][b]が全て１になっている場合、測定対象ブロックの行(a)、列(b)
を初期設定(a=1, b=1)に戻す。
そして、センサー制御部２０５は、再度、温度センサー値のみを取得し、第２の温度センサー値テーブルT2[a][b]に温度センサー値を設定する（Ｓ４０４）。なお、ここでは、全測定対象ブロックに対し温度センサー値の測定と設定を実施する（T2[1][1]〜T2[m_max][n_max]）。
そして、センサー制御部２０５は、補正部２０４へセンサー情報を送信する。
【００３４】
補正部２０４は、輝度センサー値補正部２０８へ取得したセンサー情報を送信し、第１の温度センサー値と第２の温度センサー値の差分値D[a][b]と輝度センサー値補正係数テ
ーブルから、輝度センサー値補正係数C[a][b]を導出する。ここで、輝度センサー値補正
係数テーブルとは、第１の温度センサー値と第２の温度センサー値から輝度センサー値を補正するための係数を導出するための情報である（図５）。輝度センサー値補正係数テーブルは、例えば、全バックライト制御ブロックについて輝度センサー値を取得するのに要する時間（測定時間）内で起こり得る種々の温度変化量とそれに対する輝度センサー値の変化量（変化率）との対応関係である。測定時間は、輝度センサーによる輝度検出及び温度センサーによる温度検出を行って第１の輝度及び第１の温度を取得する第１のタイミングと、第１のタイミングの後、温度センサーによる温度検出を行って第２の温度を取得する第２のタイミングと、の時間差である。輝度センサー値補正係数テーブルは、各バックライト制御ブロックを単体点灯させ、環境温度を変化させたときの輝度センサー値の変化量を測定することで、実験的に作成することができる。図５に示す通り、本実施例では、例えば、輝度センサー値を測定時間内に、最大−５℃から＋５℃の範囲でバックライトの温度が変化するものとして作成された輝度センサー値補正係数テーブルを用いる。
【００３５】
なお、輝度センサー値補正係数の導出は、全測定対象ブロックに対し実施する（C[1][1]〜C[m_max][n_max]）。
ある測定対象ブロックの温度差分値Dgのデータを輝度センサー値補正係数テーブルが保持していない場合は、該テーブルが保持する温度差分値(D1,D2,…,Di,Di+1,…,Dend)に基
づき、下記の式により輝度センサー値補正係数Cgを算出する。
【数１】
2014182349.tif 000003
【００３６】
そして、輝度センサー値補正部２０８は、下記算出式を用いて、輝度センサー値補正係数C[a][b]と輝度センサー値L[a][b]に基づき、補正輝度センサー値R[a][b]を算出する（
Ｓ４０５）。
輝度センサー値補正係数×輝度センサー値 ＝ 補正輝度センサー値
C[a][b]×L[a][b]＝R[a][b]
なお、補正輝度センサー値の算出は、全測定対象ブロックに対し実施する（R[1][1]〜R[m_max][n_max]）。
【００３７】
バックライト制御値算出部２０９は、下記算出式を用いて、目標輝度センサー値テーブルが保持する目標輝度センサー値E[a][b]、目標ＰＷＭ値P[a][b]と補正輝度センサー値R[a][b]に基づき、バックライト制御値を算出する。
【数２】
2014182349.tif 000004
【００３８】
そして、バックライト制御値算出部２０９は、算出したバックライト制御値をバックライト制御部２１０へ設定する（Ｓ４０６）。ここで、目標輝度センサー値テーブルとは、バックライト制御ブロック毎の目標値である目標輝度センサー値と目標ＰＷＭ値との対応関係の情報を含むテーブルである。目標輝度センサー値テーブルは、例えば、工場出荷時に、輝度センサー値を測定しながら各バックライト制御ブロックを単体点灯させ、目標輝度センサー値となるときのＰＷＭ値を求めることで作成し、不揮発メモリに保存する（図６）。なお、バックライト制御値の算出と設定は、全測定対象ブロックに対し実施する（B[1][1]〜B[m_max][n_max]）。
【００３９】
バックライト制御部２１０は、入力されたバックライト制御値に基づき、バックライト部１０３の発光量制御を行う（Ｓ４０７）。
【００４０】
以上の説明によれば、本発明の実施例１では、輝度センサー値取得時の温度センサー値と、フィードバック適用直前の温度センサー値に基づき、フィードバック制御する。その結果、輝度測定時とフィードバック適用時のＬＥＤ温度が変わったとしても、フィードバック制御する際、正しい目標輝度となる。
【００４１】
実施例１においては、バックライト光源に白色光を発する発光素子であるＷＬＥＤを用いた構成を例示したが、赤色、緑色、青色の光を発する発光素子であるＲＧＢＬＥＤを用いた構成にも本発明は適用できる。
この場合、ＲＧＢＬＥＤ毎に温度特性が異なる為、温度センサー値から輝度センサー値を補正するための係数は、発光素子の発光色毎（ＲＧＢ毎）に保持する。このとき、輝度センサー値補正係数を保持する温度幅（差分値）をＲＧＢ毎に異ならせてもよい。
本実施例においては、理解を容易にするため、輝度センサーを用いて、輝度値に基づいて制御をおこなったが、色度センサーを用いて、色度値に基づいて制御を行う場合にも適用できる。
この場合、バックライト制御値を算出するための目標センサー値と目標ＰＷＭ値は、ＲＧＢ毎に保持する。
【符号の説明】
【００４２】
１０１  表示制御装置、１０３  バックライト部、２０２  表示制御部、２０４  補正部、２０５  センサー制御部、２１０  バックライト制御部
【図１】
2014182349.tif 000005
【図２】
2014182349.tif 000006
【図３】
2014182349.tif 000007
【図４】
2014182349.tif 000008
【図５】
2014182349.tif 000009
【図６】
2014182349.tif 000010
【図７】
2014182349.tif 000011
【図８】
2014182349.tif 000012